(57)【要約】【課題】ユーザが所望する回線のアドレス情報を提供することができる情報処理装置を提供する。【解決手段】ＭＦＰ１０は、複数の回線を備え、近距離無線通信情報に設定するＩＰアドレスに対応する回線をユーザに選択させ、選択された回線のアドレス情報を近距離無線情報に設定し、上記近距離無線通信情報を近距離無線通信によって携帯端末１１に送信する。【選択図】図８
2019054391.tif 000002
【特許請求の範囲】
【請求項１】
複数の回線を備え、前記複数の回線の中の一つの回線のアドレス情報が設定された近距離無線通信情報を近距離無線通信によって送信する情報処理装置であって、
前記近距離無線通信情報に設定するアドレス情報に対応する回線をユーザに選択させる選択手段と、
前記選択された回線のアドレス情報を前記近距離無線通信情報に設定する設定手段とを備えることを特徴とする情報処理装置。
【請求項２】
前記近距離無線通信は、ＮＦＣ（Ｎｅａｒ  Ｆｉｅｌｄ  Ｃｏｍｍｕｎｉｃａｔｉｏｎ）通信及びＢＬＥ（Ｂｌｕｅｔｏｏｔｈ  Ｌｏｗ  Ｅｎｅｇｒｙ）通信の何れかであることを特徴とする請求項１記載の情報処理装置。
【請求項３】
前記近距離無線通信情報に設定されたアドレス情報を表示することを特徴とする請求項１又は２記載の情報処理装置。
【請求項４】
前記近距離無線通信情報に設定されたアドレス情報を含むＱＲコードを表示することを特徴とする請求項１乃至３のいずれか１項に記載の情報処理装置。
【請求項５】
前記アドレス情報はＩＰアドレス及びＭＡＣアドレスであることを特徴とする請求項１乃至４のいずれか１項に記載の情報処理装置。
【請求項６】
画像形成処理を行う画像形成装置であることを特徴とする請求項１乃至５のいずれか１項に記載の情報処理装置。
【請求項７】
複数の回線を備え、前記複数の回線の中の一つの回線のアドレス情報が設定された近距離無線通信情報を近距離無線通信によって送信する情報処理装置の制御方法であって、
前記近距離無線通信情報に設定するアドレス情報に対応する回線をユーザに選択させる選択ステップと、
前記選択された回線のアドレス情報を前記近距離無線通信情報に設定する設定ステップとを有することを特徴とする情報処理装置の制御方法。
【請求項８】
複数の回線を備え、前記複数の回線の中の一つの回線のアドレス情報が設定された近距離無線通信情報を近距離無線通信によって送信する情報処理装置の制御方法をコンピュータに実行させるプログラムであって、
前記情報処理装置の制御方法は、
前記近距離無線通信情報に設定するアドレス情報に対応する回線をユーザに選択させる選択ステップと、
前記選択された回線のアドレス情報を前記近距離無線通信情報に設定する設定ステップとを有することを特徴とするプログラム。
【発明の詳細な説明】
【技術分野】
【０００１】
本発明は、情報処理装置及びその制御方法、並びにプログラムに関する。
【背景技術】
【０００２】
ＮＦＣ（Ｎｅａｒ  Ｆｉｅｌｄ  Ｃｏｍｍｕｎｉｃａｔｉｏｎ）通信やＢｌｕｅｔｏｏｔｈ（登録商標）  Ｌｏｗ  Ｅｎｅｇｒｙ（以下、「ＢＬＥ」という。）通信等の近距離無線通信を行う情報処理装置としてのＭＦＰが知られている。近距離無線通信は主に通信情報のペアリングやハンドオーバーとして用いられる。例えば、近距離無線通信機能を備える携帯端末がＭＦＰに近付くと、ＭＦＰは該ＭＦＰのＩＰアドレスやＭＡＣアドレス等のアドレス情報を含む近距離無線通信情報を近距離無線通信によって上記携帯端末に送信する（例えば、特許文献１参照）。携帯端末は受信した近距離無線通信情報に含まれるアドレス情報に基づいて上記近距離無線通信より高速通信可能なＷｉ−ｆｉ等の無線通信を上記ＭＦＰと行い、例えば、印刷の実行を指示する印刷データをＭＦＰに送信する。
【０００３】
近年では、複数の回線を備えるＭＦＰが開発され、このＭＦＰは異なる複数のネットワークを使い分け可能である。例えば、このＭＦＰは、一の回線において一のネットワークを利用し、また、他の回線において一のネットワークと異なる他のネットワークを利用する。このＭＦＰでは、各回線に対してアドレス情報が設定され、各回線のアドレス情報は互いに異なる。このＭＦＰにおいても、近距離無線通信によって携帯端末にアドレス情報を送信する場合、アドレス情報を近距離無線通信情報として設定する必要があるが、近距離無線通信情報には１つのアドレス情報しか設定できない。このため、ＭＦＰは複数の回線のアドレス情報の中から近距離無線通信情報に設定する特定のアドレス情報を決定する必要がある。
【先行技術文献】
【特許文献】
【０００４】
【特許文献１】特開２０１６−０１８２８３号公報
【発明の概要】
【発明が解決しようとする課題】
【０００５】
しかしながら、ユーザが所望する回線のアドレス情報は、情報処理装置の使用用途や、情報処理装置を使用する環境のセキュリティーポリシーによって異なるので、ユーザが所望する回線のアドレス情報をＭＦＰ側で特定することができない。すなわち、従来のＭＦＰでは、ユーザが所望する回線のアドレス情報を提供することができない。
【０００６】
本発明の目的は、ユーザが所望する回線のアドレス情報を提供することができる情報処理装置及びその制御方法、並びにプログラムを提供することにある。
【課題を解決するための手段】
【０００７】
上記目的を達成するために、本発明の情報処理装置は、複数の回線を備え、前記複数の回線の中の一つの回線のアドレス情報が設定された近距離無線通信情報を近距離無線通信によって送信する情報処理装置であって、前記近距離無線通信情報に設定するアドレス情報に対応する回線をユーザに選択させる選択手段と、前記選択された回線のアドレス情報を前記近距離無線通信情報に設定する設定手段とを備えることを特徴とする。
【発明の効果】
【０００８】
本発明によれば、ユーザが所望する回線のアドレス情報を提供することができる。
【図面の簡単な説明】
【０００９】
【図１】本発明の実施の形態に係る情報処理装置としてのＭＦＰのネットワーク構成を説明するための図である。
【図２】図１のＭＦＰのハードウェア構成を概略的に示すブロック図である。
【図３】図２の操作パネルに表示される操作画面の一例を示す図である。
【図４】図１のＭＦＰによって実行される接続情報設定処理の手順を示すフローチャートである。
【図５】図２の操作パネルに表示される優先ＩＦ設定画面の一例を示す図である。
【図６】図１のＭＦＰから送信されるＮＤＥＦデータの構成を説明するための図である。
【図７】図４の接続情報設定処理の第１の変形例の手順を示すフローチャートである。
【図８】図１のＭＦＰから送信されるアドバタイジングパケットの構成を説明するための図である。
【図９】図４の接続情報設定処理の第２の変形例の手順を示すフローチャートである。
【図１０】図１のＭＦＰから送信されるアドバタイジングパケットの構成を説明するための図である。
【図１１】図４の接続情報設定処理の第３の変形例の手順を示すフローチャートである。
【図１２】図２の操作パネルに表示されるメニュー画面の一例を示す図である。
【図１３】図２の操作パネルに表示される各モード画面の一例を示す図である。
【発明を実施するための形態】
【００１０】
以下、本発明の実施の形態を図面を参照しながら詳述する。
【００１１】
図１は、本発明の実施の形態に係る情報処理装置としてのＭＦＰ１０のネットワーク構成を説明するための図である。
【００１２】
ＭＦＰ１０はルータ１４と有線ＬＡＮ接続され、ルータ１４はアクセスポイント１２と有線ＬＡＮ接続されている。ＭＦＰ１０はルータ１４及びアクセスポイント１２を経由して、携帯端末１１と有線ＬＡＮ通信を行う。また、ＭＦＰ１０はアクセスポイント１３と無線ＬＡＮ接続され、アクセスポイント１３を経由して、携帯端末１１と無線ＬＡＮ通信を行う。さらに、ＭＦＰ１０は携帯端末１１と直接無線通信（以下、「無線ダイレクト通信」という。）や近距離無線通信を行う。近距離無線通信はＮＦＣ通信及びＢＬＥ通信である。
【００１３】
ＭＦＰ１０は複数の回線を備え、本実施の形態では、一例として、主回線及び副回線を１つずつ備える構成について説明する。また、ＭＦＰ１０は有線ＬＡＮ接続されたアクセスポイント１２を利用する有線インフラ、及び無線ＬＡＮ接続されたアクセスポイント１３を利用する無線インフラを同時動作可能である。ＭＦＰ１０では、有線インフラ及び無線インフラの何れか一方が主回線として使用され、他方が副回線として使用される。各回線には異なるＩＰアドレスが割り当てられる。また、ＭＦＰ１０では、無線ダイレクト通信向けにも、各回線のＩＰアドレスと異なるＩＰアドレスが割り当てられる。以下では、主回線向けに割り当てられたＩＰアドレスを主回線のＩＰアドレスとする。副回線向けに割り当てられたＩＰアドレスを副回線のＩＰアドレスとする。無線ダイレクト通信向けに割り当てられたＩＰアドレスを無線ダイレクトのＩＰアドレスとする。
【００１４】
図２は、図１のＭＦＰ１０のハードウェア構成を概略的に示すブロック図である。
【００１５】
図２において、ＭＦＰ１０は、制御部２０１、印刷部２０７、読み取り部２０９、及び操作パネル２１１を備える。制御部２０１は、印刷部２０７、読み取り部２０９、及び操作パネル２１１と接続されている。また、制御部２０１は、ＣＰＵ２０２、ＲＡＭ２０３、ＲＯＭ２０４、ＨＤＤ２０５、プリンタＩ／Ｆ２０６、スキャナＩ／Ｆ２０８、操作パネルＩ／Ｆ２１０を備える。また、制御部２０１は、有線ＬＡＮＩ／Ｆ２１２、無線ＬＡＮＩ／Ｆ２１３、ＮＦＣＩ／Ｆ２１４、及びＢＬＥＩ／Ｆ２１５を備える。ＣＰＵ２０２、ＲＡＭ２０３、ＲＯＭ２０４、ＨＤＤ２０５、プリンタＩ／Ｆ２０６、スキャナＩ／Ｆ２０８はシステムバス２１９を介して互いに接続されている。また、それらに加えて、操作パネルＩ／Ｆ２１０、有線ＬＡＮＩ／Ｆ２１２、無線ＬＡＮＩ／Ｆ２１３、ＮＦＣＩ／Ｆ２１４、及びＢＬＥＩ／Ｆ２１５も、システムバス２１６を介して互いに接続されている。
【００１６】
ＭＦＰ１０は画像形成処理を行う画像形成装置である。制御部２０１はＭＦＰ１０全体の動作を制御する。ＣＰＵ２０２はＲＯＭ２０４に格納された制御プログラムを読み出して各制御を行う。ＲＡＭ２０３はＣＰＵ２０２の作業領域として、また、各データの一時格納領域として用いられる。ＲＯＭ２０４はＣＰＵ２０２によって実行される制御プログラム等を格納する。ＨＤＤ２０５はデータ、プログラム、及び各設定情報を格納する。プリンタＩ／Ｆ２０６は印刷処理を行うための画像信号を印刷部２０７へ出力する。印刷部２０７は受信した画像信号に基づいて印刷処理を行う。スキャナＩ／Ｆ２０８は読み取り部２０９から出力された読取画像信号をＣＰＵ２０２へ転送する。読み取り部２０９は配置された原稿を読み取り、読み取った結果を読取画像信号としてスキャナＩ／Ｆ２０８に出力する。操作パネルＩ／Ｆ２１０は操作パネル２１１及び制御部２０１を接続する。操作パネル２１１はタッチパネル機能を有する図示しない液晶表示部及びキーボード等を備え、ＭＦＰ１０の各設定変更指示等を受け付ける。
【００１７】
有線ＬＡＮＩ／Ｆ２１２は有線インフラを利用して携帯端末１１等と有線ＬＡＮ通信を行う。無線ＬＡＮＩ／Ｆ２１３は近距離無線通信より高速通信可能な無線通信を図示しない外部装置と行う。例えば、無線ＬＡＮＩ／Ｆ２１３は無線インフラを利用して携帯端末１１と無線ＬＡＮ通信を行う。また、無線ＬＡＮＩ／Ｆ２１３は携帯端末１１と無線ダイレクト通信を行う。ＮＦＣＩ／Ｆ２１４は携帯端末１１等とＮＦＣ通信を行う。例えば、ＮＦＣＩ／Ｆ２１４は各回線のＩＰアドレスやＭＡＣアドレスといったＭＦＰ１０のアドレス情報をＮＦＣ通信によって携帯端末１１へ送信する。ＢＬＥＩ／Ｆ２１５は携帯端末１１等とＢＬＥ通信を行う。例えば、ＢＬＥＩ／Ｆ２１５は上記アドレス情報をＢＬＥ通信によって送信する。
【００１８】
図３は、図２の操作パネル２１１に表示される操作画面の一例を示す図である。図３（ａ）はＬＡＮ選択画面３０１を示し、図３（ｂ）は無線ダイレクト設定画面３０６を示し、図３（ｃ）は無線ダイレクト実行指示画面３０９を示す。
【００１９】
ＬＡＮ選択画面３０１は有線インフラ及び無線インフラの使用設定を行う。ＬＡＮ選択画面３０１は、有線ＬＡＮボタン３０２、無線ＬＡＮボタン３０３、有線ＬＡＮ（主）＋無線ＬＡＮ（副）ボタン３０４、及びＯＫボタン３０５を備える。ユーザは有線ＬＡＮボタン３０２、無線ＬＡＮボタン３０３、及び有線ＬＡＮ（主）＋無線ＬＡＮ（副）ボタン３０４の中から１つの操作ボタンを選択可能である。有線ＬＡＮボタン３０２が選択されると、ＭＦＰ１０では有線ＬＡＮモードが設定される。有線ＬＡＮモードでは有線インフラ及び無線インフラのうち、有線インフラのみが使用される。無線ＬＡＮボタン３０３が選択されると、ＭＦＰ１０では無線ＬＡＮモードが設定される。有線ＬＡＮモードでは有線インフラ及び無線インフラのうち、無線インフラのみが使用される。有線ＬＡＮ（主）＋無線ＬＡＮ（副）ボタン３０４が選択されると、ＭＦＰ１０では複数回線モードが設定される。複数回線モードでは有線インフラ及び無線インフラの両方が使用される。具体的に、複数回線モードでは有線インフラが主回線として使用され、また、無線インフラが副回線として使用される。ＯＫボタン３０５が選択されると、ＬＡＮ選択画面３０１において設定されたモードを示す設定値がＨＤＤ２０５に格納される。なお、本実施の形態では、副回線に対し、ゲートウェイを介して接続される通信装置と通信が行えない、若しくは印刷機能のみ利用可能等の特定の制限が設けられる。
【００２０】
無線ダイレクト設定画面３０６はＯＮボタン３０７及びＯＦＦボタン３０８を備え、無線ダイレクト通信を有効及び無効の何れかに設定する。ＯＮボタン３０７が選択されると、ＭＦＰ１０は無線ダイレクト通信機能を有効に設定し、有線インフラ及び無線インフラを無効に設定する。これにより、ＭＦＰ１０は、無線ダイレクト実行指示画面３０９における無線ダイレクト通信の開始指示に応じて無線ダイレクト通信可能となる。ＯＦＦボタン３０８が選択されると、ＭＦＰ１０は無線ダイレクト通信機能を無効に設定する。これにより、ＭＦＰ１０は無線ダイレクト通信不可能となる。
【００２１】
無線ダイレクト実行指示画面３０９は開始ボタン３１０及び停止ボタン３１１を備え、無線ダイレクト通信の開始指示及び停止指示を受け付ける。開始ボタン３１０が選択されると、ＭＦＰ１０は携帯端末１１等の通信装置と無線ダイレクト通信を開始する。停止ボタン３１１が選択されると、ＭＦＰ１０は携帯端末１１等と行っていた無線ダイレクト通信を停止する。
【００２２】
図４は、図１のＭＦＰ１０によって実行される接続情報設定処理の手順を示すフローチャートである。
【００２３】
図４の処理は、ＣＰＵ２０２がＲＯＭ２０４に格納されたプログラムを実行することによって行われる。図４の処理は、近距離無線通信の一例であるＮＦＣ通信によって送信される後述する図６のＮＤＥＦデータ６００等にアドレス情報を設定する処理である。
【００２４】
図４において、まず、ＣＰＵ２０２は所定の条件が満たされたことを検知すると（ステップＳ４０１）、無線ダイレクト通信機能が有効及び無効の何れであるか否かを判別する（ステップＳ４０２）。所定の条件は、例えば、ＭＦＰ１０の起動、若しくはＬＡＮ選択画面３０１、無線ダイレクト設定画面３０６、及び無線ダイレクト実行指示画面３０９の何れかにおける設定変更である。
【００２５】
ステップＳ４０２の判別の結果、無線ダイレクト通信機能が有効であるとき、ＣＰＵ２０２は無線ダイレクト通信を開始しているか否かを判別する（ステップＳ４０３）。
【００２６】
ステップＳ４０３の判別の結果、無線ダイレクト通信を開始しているとき、ＣＰＵ２０２は無線ダイレクト通信に関する情報を接続情報（近距離無線通信情報）に設定する（ステップＳ４０４）。無線ダイレクト通信に関する情報は、無線ダイレクトのＩＰアドレス及びＭＡＣアドレスといった無線ダイレクトのアドレス情報、また、ＳＳＩＤ、及びネットワークキーである。その後、ＣＰＵ２０２は後述するステップＳ４１１の処理を行う。
【００２７】
ステップＳ４０２の判別の結果、無線ダイレクト通信機能が無効であるとき、又はステップＳ４０３の判別の結果、無線ダイレクト通信を開始していないとき、ＣＰＵ２０２はＬＡＮ選択画面３０１における設定を確認する（ステップＳ４０５）。具体的に、ステップＳ４０５では、有線ＬＡＮモード、無線ＬＡＮモード、複数回線モードの何れを示す設定値がＨＤＤ２０５に格納されているかについて確認する。
【００２８】
ステップＳ４０５において、有線ＬＡＮモードを示す設定値がＨＤＤ２０５に格納されている場合、ＣＰＵ２０２は有線ＬＡＮ通信に関する情報を接続情報に設定する（ステップＳ４０６）。有線ＬＡＮ通信に関する情報は、有線インフラで使用されるＭＦＰ１０のＩＰアドレス及びＭＡＣアドレス（以下、「有線インフラのアドレス情報」という。）である。その後、ＣＰＵ２０２は後述するステップＳ４１１の処理を行う。
【００２９】
ステップＳ４０５において、無線ＬＡＮモードを示す設定値がＨＤＤ２０５に格納されている場合、ＣＰＵ２０２は無線ＬＡＮ通信に関する情報を接続情報に設定する（ステップＳ４０７）。無線ＬＡＮ通信に関する情報は、及び無線インフラで使用されるＭＦＰ１０のＩＰアドレス及びＭＡＣアドレス（以下、「無線インフラのアドレス情報」という。）である。その後、ＣＰＵ２０２は後述するステップＳ４１１の処理を行う。
【００３０】
ステップＳ４０５において、複数回線モードを示す設定値がＨＤＤ２０５に格納されている場合、ＣＰＵ２０２は図５の優先ＩＦ設定画面５００における設定を確認する（ステップＳ４０８）。
【００３１】
優先ＩＦ設定画面５００は接続情報に設定するアドレス情報に対応する回線を設定する。優先ＩＦ設定画面５００は主回線ボタン５０１及び副回線ボタン５０２を備える。主回線ボタン５０１が選択されると、ＭＦＰ１０では接続情報に設定するアドレス情報に対応する回線として主回線が設定される。副回線ボタン５０２が選択されると、ＭＦＰ１０では接続情報に設定するアドレス情報に対応する回線として副回線が設定される。
【００３２】
ステップＳ４０８において、優先ＩＦ設定画面５００の設定が主回線ボタン５０１である場合、ＣＰＵ２０２は主回線を使用した通信に関する情報を接続情報に設定する（ステップＳ４０９）。主回線を使用した通信に関する情報は、主回線のＩＰアドレス及びＭＡＣアドレス（以下、「主回線のアドレス情報」という。）である。その後、ＣＰＵ２０２は後述するステップＳ４１１の処理を行う。
【００３３】
ステップＳ４０８において、優先ＩＦ設定画面５００の設定が副回線ボタン５０２である場合、ＣＰＵ２０２は副回線を使用した通信に関する情報を接続情報に設定する（ステップＳ４０９）。副回線を使用した通信に関する情報は、副回線のＩＰアドレス及びＭＡＣアドレス（以下、「副回線のアドレス情報」という。）である。次いで、ＣＰＵ２０２は設定した接続情報をＮＤＥＦデータに書き込む（ステップＳ４１１）。例えば、ステップ４０６、Ｓ４０７、Ｓ４０９、Ｓ４１０のように、アドレス情報のみが接続情報に設定された場合、ＣＰＵ２０２は図６（ａ）のデータフォーマットのＮＤＥＦデータ６００に接続情報を書き込む。ＮＤＥＦデータ６００では、アドレス情報がネットワークＩＤレコード６０１に書き込まれる。また、ステップＳ４０４のように、アドレス情報の他に、ＳＳＩＤ、及びネットワークキーが接続情報に設定された場合、ＣＰＵ２０２は図６（ｂ）のデータフォーマットのＮＤＥＦデータ６０２に接続情報を書き込む。ＮＤＥＦデータ６０２では、アドレス情報がネットワークＩＤレコード６０３に書き込まれ、ＳＳＩＤ及びネットワークキーが独自拡張レコード６０４に書き込まれる。その後、ＣＰＵ２０２は本処理を終了する。図４の処理を完了後にユーザが携帯端末１１をＭＦＰ１０の図示しないＮＦＣタグにかざすと、設定された接続情報を含むＮＤＥＦデータがＭＦＰ１０から携帯端末１１へＮＦＣ通信によって送信される。
【００３４】
上述した図４の処理によれば、接続情報に設定するアドレス情報に対応する回線がユーザによって選択され、選択された回線のアドレス情報が接続情報に設定されるので、ユーザが所望する回線のＩＰアドレスを携帯端末１１に提供することができる。
【００３５】
また、上述した図４の処理では、近距離無線通信はＮＦＣ通信及びＢＬＥ通信の何れかであるので、ＮＦＣ通信機能又はＢＬＥ通信機能を備える携帯端末に対し、ユーザが所望する回線のＩＰアドレスを送信することができる。
【００３６】
さらに、上述した図４の処理では、アドレス情報はＩＰアドレス及びＭＡＣアドレスであるので、携帯端末１１と近距離無線通信より高速な有線ＬＡＮ通信や無線ＬＡＮ通信を行うことができる。
【００３７】
以上、本発明について、上述した実施の形態を用いて説明したが、本発明は上述した実施の形態に限定されるものではない。例えば、無線インフラを主回線として使用し、また、有線インフラを副回線として使用しても良い。また、これに対応して、ＬＡＮ選択画面３０１に設けられる操作ボタンが、有線ＬＡＮ（主）＋無線ＬＡＮ（副）ボタン３０４ではなく、無線ＬＡＮ（主）＋有線ＬＡＮ（副）ボタンであっても良い。
【００３８】
また、上述した実施の形態では、優先ＩＦ設定画面５００が主回線ボタン５０１及び副回線ボタン５０２の他に、無線ダイレクトボタンを備えていても良い。優先ＩＦ設定画面５００において、無線ダイレクトボタンが選択されると、ＭＦＰ１０はＮＤＥＦデータに無線ダイレクトのアドレス情報を書き込む。
【００３９】
さらに、上述した実施の形態では、接続情報をＢＬＥ通信によって送信されるアドバタイジングパケットに設定しても良い。
【００４０】
図７は、図４の接続情報設定処理の第１の変形例の手順を示すフローチャートである。
【００４１】
図７の処理も、ＣＰＵ２０２がＲＯＭ２０４に格納されたプログラムを実行することによって行われる。図７の処理は、近距離無線通信の一例であるＢＬＥ通信によって送信される後述する図８のアドバタイジングパケット８００に接続情報を設定する処理である。
【００４２】
図７において、ＣＰＵ２０２はステップＳ４０１〜Ｓ４０３の処理を行う。
【００４３】
ステップＳ４０３の判別の結果、無線ダイレクト通信を開始しているとき、ＣＰＵ２０２は無線ダイレクトのアドレス情報を接続情報に設定する（ステップＳ７０１）。次いで、ＣＰＵ２０２はＢＬＥ通信により、上記接続情報を含む図８のアドバタイジングパケット８００を送信する（ステップＳ７０２）。アドバタイジングパケット８００では、Ａｄｖｅｒｔｉｓｅ  Ａｄｄｒｅｓｓ８０１にＭＡＣアドレスが設定され、Ａｄｖｅｒｔｉｓｅ  Ｐａｙｌｏａｄ８０２にＩＰアドレスが設定される。その後、ＣＰＵ２０２は本処理を終了する。
【００４４】
ステップＳ４０３の判別の結果、無線ダイレクト通信を開始していないとき、ＣＰＵ２０２はステップＳ４０５〜Ｓ４１０の処理を行う。ＣＰＵ２０２はステップＳ４０６、Ｓ４０７、Ｓ４０９、Ｓ４１０の処理を行った後ステップＳ７０２以降の処理を行う。図７の処理を完了後にユーザが携帯端末１１をＭＦＰ１０の近付けると、設定された接続情報を含むアドバタイジングパケット８００がＭＦＰ１０から携帯端末１１へＢＬＥ通信によって送信される。
【００４５】
また、上述した実施の形態では、ＢＬＥ通信によるＧＡＴＴ応答に接続情報を書き込みしても良い。
【００４６】
図９は、図４の接続情報設定処理の第２の変形例の手順を示すフローチャートである。
【００４７】
図９の処理も、ＣＰＵ２０２がＲＯＭ２０４に格納されたプログラムを実行することによって行われる。
【００４８】
図９において、ＣＰＵ２０２はステップＳ４０１〜Ｓ４１０の処理を行う。次いで、ＣＰＵ２０２は図１０のアドバタイジングパケット１０００を送信する（ステップＳ９０１）。アドバタイジングパケット１０００には、上記接続情報におけるＩＰアドレスが含まれていない。次いで、ＣＰＵ２０２は通信装置から接続情報の送信要求であるＧＡＴＴ要求を受信したか否かを判別する（ステップＳ９０２）。ＧＡＴＴ要求には送信要求する接続情報の種別を特定するためのＩＤが含まれる。
【００４９】
ステップＳ９０２の判別の結果、ＧＡＴＴ要求を受信しないとき、ＣＰＵ２０２は本処理を終了する。一方、ステップＳ９０２の判別の結果、通信装置、例えば、携帯端末１１からＧＡＴＴ要求を受信したとき、ＣＰＵ２０２は、受信したＧＡＴＴ要求に対応する接続情報を含むＧＡＴＴ応答を携帯端末１１に送信する（ステップＳ９０３）。ステップＳ９０２では、例えば、図１０（ｂ）に示すように、「ＩＰアドレス」に対応するＩＤ「１」を含むＧＡＴＴ要求を携帯端末１１から受信した場合、ＣＰＵ２０２は設定された接続情報のＩＰアドレスを含むＧＡＴＴ応答を携帯端末１１に送信する。その後、ＣＰＵ２０２は本処理を終了する。
【００５０】
さらに、上述した実施の形態では、設定された接続情報を操作パネル２１１に表示しても良い。
【００５１】
図１１は、図４の接続情報設定処理の第３の変形例の手順を示すフローチャートである。
【００５２】
図１１の処理も、ＣＰＵ２０２がＲＯＭ２０４に格納されたプログラムを実行することによって行われ、操作パネル２１１に図１２のメニュー画面１２００が表示されていることを前提とする。メニュー画面１２００にはモバイル管理ボタン１２０１等の複数のボタンが表示される。モバイル管理ボタン１２０１が選択されると、操作パネル２１１には後述する図１３（ａ）〜図１３（ｄ）の何れかのモード画面が表示される。なお、図１１の処理は、図４の処理におけるステップＳ４０１〜Ｓ４１０の処理を行い、ステップＳ４０４、Ｓ４０６、Ｓ４０７、Ｓ４０９、Ｓ４１０の後の処理が図４の処理と異なる。このため、以下では、図４の処理と異なる処理についてのみ説明する。
【００５３】
図１１において、ＣＰＵ２０２はステップＳ４０４の処理を実行し、その後、ユーザによってモバイル管理ボタン１２０１が選択されると、操作パネル２１１に図１３（ａ）のダイレクト接続モード画面１３００を表示する（ステップＳ１１０１）。ダイレクト接続モード画面１３００には、ステップＳ４０４で設定された接続情報及び該接続情報を含むＱＲコード（登録商標）１３０１が表示される。携帯端末１１はＱＲコード１３０１を読み取ると、ステップＳ４０４で設定された接続情報に含まれる無線ダイレクトのアドレス情報を取得することができる。その後、ＣＰＵ２０２は本処理を終了する。
【００５４】
ＣＰＵ２０２はステップＳ４０６又はステップＳ４０７の処理を実行し、その後、ユーザによってモバイル管理ボタン１２０１が選択されると、操作パネル２１１に図１３（ｂ）のインフラ接続モード画面１３０２を表示する。インフラ接続モード画面１３０２には、ステップＳ４０６又はＳ４０７で設定された接続情報及び該接続情報を含むＱＲコード１３０３が表示される。例えば、ステップＳ４０６の処理によって接続情報が設定された場合、携帯端末１１はＱＲコード１３０３を読み取ると、ステップＳ４０６で設定された接続情報に含まれる有線インフラのアドレス情報を取得することができる。その後、ＣＰＵ２０２は本処理を終了する。
【００５５】
ＣＰＵ２０２はステップＳ４０９の処理を実行し、その後、ユーザによってモバイル管理ボタン１２０１が選択されると、操作パネル２１１に図１３（ｃ）のＬＡＮ接続（主回線）モード画面１３０４を表示する（ステップＳ１１０３）。ＬＡＮ接続（主回線）モード画面１３０４には、ステップＳ４０９で設定された接続情報及び該接続情報を含むＱＲコード１３０５が表示される。携帯端末１１はＱＲコード１３０５を読み取ると、ステップＳ４０９で設定された接続情報に含まれる主回線のアドレス情報を取得することができる。その後、ＣＰＵ２０２は本処理を終了する。
【００５６】
ＣＰＵ２０２はステップＳ４１０の処理を実行し、その後、ユーザによってモバイル管理ボタン１２０１が選択されると、操作パネル２１１に図１３（ｄ）のＬＡＮ接続（副回線）モード画面１３０６を表示する（ステップＳ１１０４）。ＬＡＮ接続（副回線）モード画面１３０６には、ステップＳ４１０で設定された接続情報及び該接続情報を含むＱＲコード１３０７が表示される。携帯端末１１はＱＲコード１３０７を読み取ると、ステップＳ４１０で設定された接続情報に含まれる副回線のアドレス情報を取得することができる。その後、ＣＰＵ２０２は本処理を終了する。
【００５７】
上述した図１１の処理では、設定された接続情報が表示されるので、ユーザがＭＦＰ１０から近距離無線通信によって接続情報を取得する前に上記ユーザが所望するアドレス情報が取得可能な状況であるか否かを確認することができる。
【００５８】
また、上述した図１１の処理では、設定されたアドレス情報を含むＱＲコードが表示される。これにより、電波状況が良くないことが原因で近距離無線通信を実行不可能な状況であっても、ユーザが携帯端末１１を用いてＱＲコードを読み取ることで所望のアドレス情報を取得することができる。
【００５９】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００６０】
１０  ＭＦＰ
２０２  ＣＰＵ
２１１  操作パネル
２１４  ＮＦＣＩ／Ｆ
２１５  ＢＬＥＩ／Ｆ
５００  優先ＩＦ設定画面
６００，６０２  ＮＤＥＦデータ
８００  アドバタイジングパケット
１３０１，１３０３，１３０５，１３０７  ＱＲコード
【図１】
2019054391.tif 000003
【図２】
2019054391.tif 000004
【図３】
2019054391.tif 000005
【図４】
2019054391.tif 000006
【図５】
2019054391.tif 000007
【図６】
2019054391.tif 000008
【図７】
2019054391.tif 000009
【図８】
2019054391.tif 000010
【図９】
2019054391.tif 000011
【図１０】
2019054391.tif 000012
【図１１】
2019054391.tif 000013
【図１２】
2019054391.tif 000014
【図１３】
2019054391.tif 000015